(57)【要約】【課題】生分解性樹脂からなる電線の被覆の生分解進行度を検知できるようにする。【解決手段】生分解可能な培地２１内に、生分解性樹脂からなる第１被覆１２（検知部）及び第２被覆１４を有するシールド電線（検知対象物）１０を投入する。その一方で、シールド電線１０の線材１１（第１導体）と、シールド導体１３（第２導体）とを含む検知回路２６を培地２１外部に構成する。そして、第１被覆１２の生分解の進行が完了すると、線材１１とシールド導体１３が電気的に接触することにより、検知回路２６に電流が流れ、検知回路２６に設けられたランプ２５（報知部）が点灯する。これにより、第１被覆１２の生分解が完了したことが検知可能となる。【選択図】図２
2014053171.tif 000002
【特許請求の範囲】
【請求項１】
生分解性樹脂の生分解進行度の検知方法であって、
検知対象物は、第１導体と、前記第１導体を被覆する第１被覆と、前記第１被覆の外周面に被せられ、網目状に形成された第２導体と、前記第２導体を被覆する第２被覆からなり、前記第１被覆及び前記第２被覆は共に生分解性樹脂を含む材料にて形成されている電線であり、
前記電線を、前記生分解性樹脂を生分解可能な培地内に投入する一方で、前記第１導体と前記第２導体とを含む検知回路を構成し、
前記第１被覆の生分解が未了の状態では、前記第１被覆によって、前記第１導体と前記第２導体とが電気的に非接触であることにより、前記検知回路は非導通状態にあるが、少なくとも前記第１被覆の生分解の進行の終了によって、前記第１導体と前記第２導体とが電気的に接触した時には、前記検知回路が導通状態となって前記第１被覆の生分解が完了したことが検知可能となることを特徴とする生分解性樹脂の生分解進行度の検知方法。
【請求項２】
前記電線の一部を前記培地の外に導出され、この導出部分における前記第１導体と前記第２導体に前記検知回路を接続することを特徴とする請求項１に記載の生分解性樹脂の生分解進行度の検知方法。
【請求項３】
前記検知回路が導通状態となり、前記検知回路に流れる電流によって動作し、かつ前記第１被覆の生分解が完了したことを報知する報知部が前記検知回路に設けられていることを特徴とする請求項１又は請求項２に記載の生分解性樹脂の生分解進行度の検知方法。
【発明の詳細な説明】
【技術分野】
【０００１】
本発明は、生分解性樹脂の生分解進行度の検知方法に関するものである。
【背景技術】
【０００２】
従来より、生分解性樹脂からなる絶縁体材料によって被覆された電線の線材(導体)を再利用するために、生分解性樹脂を分解し得る培地内に電線を埋めて、微生物によって絶縁体被覆材料を生分解し、線材と分離させる方法が考案されている（例えば、下記特許文献１参照）。
【先行技術文献】
【特許文献】
【０００３】
【特許文献１】特開平９−１１５３３３号公報
【発明の概要】
【発明が解決しようとする課題】
【０００４】
しかしながら、培地中の生分解性樹脂にて形成された検知部を含む検知対象物の絶縁被覆材料を生分解する速度は培地の温度、湿度や培地中に含まれる微生物やバクテリアの数によっても変動する為、生分解速度を制御することは極めて難しい。よって、従来、生分解進行度を検知するために一定時間毎に培地から検知対象物を取り出しては目視で確認して、分解が終わっていない場合は培地に戻すというような手間のかかる作業と時間を必要とした。
【０００５】
本発明は上記のようなこと事情に基づいて完成されたものであって、培地中に埋められた生分解性樹脂にて形成された検知部を含む検知対象物の生分解進行度を容易に検知する方法を提供することを目的とする。
【課題を解決するための手段】
【０００６】
上記の目的を達成するための手段として、本発明の生分解性樹脂の生分解進行度の検知方法は、
検知対象物は、第１導体と、前記第１導体を被覆する第１被覆と、前記第１被覆の外周面に被せられ、網目状に形成された第２導体と、前記第２導体を被覆する第２被覆からなり、前記第１被覆及び前記第２被覆は共に生分解性樹脂を含む材料にて形成されている電線であり、
前記電線を、前記生分解性樹脂を生分解可能な培地内に投入する一方で、前記第１導体と前記第２導体とを含む検知回路を構成し、
前記第１被覆の生分解が未了の状態では、前記第１被覆によって、前記第１導体と前記第２導体とが電気的に非接触であることにより、前記検知回路は非導通状態にあるが、少なくとも前記第１被覆の生分解の進行の終了によって、前記第１導体と前記第２導体とが電気的に接触した時には、前記検知回路が導通状態となって前記第１被覆の生分解が完了したことが検知可能となることを特徴とする。
【発明の効果】
【０００７】
本発明によれば、培地中に埋められた生分解性樹脂にて形成された検知対象物の生分解進行度を、検知対象物を含んだ検知回路を構成し、その導通を確認することで検知対象物を培地中に埋めたまま、容易に検知できるようになる。よって、培地中の検知対象物の分解の進行度合いをいちいち取り出して確認する必要がなくなり、作業効率が向上する。
【図面の簡単な説明】
【０００８】
【図１】実施例１のシールド電線の断面図
【図２】検知作業を示す説明図
【図３】線材とシールド導体が接触した状態を示す説明図
【発明を実施するための形態】
【０００９】
本発明における好ましい実施の形態を説明する。  
（１） 本発明の生分解性樹脂の生分解進行度の検知方法は、
前記電線の一部を前記培地の外に導出され、この導出部分における前記第１導体と前記第２導体に前記検知回路を接続する構成とすることが好ましい。
この構成によれば、検知回路を培地外に構成できるため、検知回路の構成を簡単化でき、かつ安全性にも優れる。
【００１０】
（２） 本発明の生分解性樹脂の生分解進行度の検知方法は、
前記検知回路が導通状態となり、前記検知回路に流れる電流によって動作し、かつ前記第１被覆の生分解が完了したことを報知する報知部が前記検知回路に設けられている構成とすることが好ましい。
この構成によれば、生分解の完了を検知回路に設けられた報知部の反応により把握できる為、定期的に検知回路の出力をモニターする手間もなくなり、作業工数や作業効率を大幅に改善できる。
【００１１】
次に、本発明の生分解性樹脂の生分解進行度の検知方法を具体化した実施例について、図面を参照しつつ説明する。
＜実施例１＞
図１は本発明に関わるシールド電線（検知対象物）１０を示した断面図であり、図１に示すように、シールド電線１０は、線材（第１導体）１１と線材１１を被覆する第１被覆（検知部）１２及び第１被覆１２を被覆するシールド導体１３（第２導体）及び、シールド導体１３を被覆する第２被覆１４の４層の構造からなっている。線材１１には銅合金等の導電体材料が用いられ、シールド導体１３はアルミニウム合金等の導電体材料が用いられる。また、シールド導体１３は多数本の素線を網目状に編んで形成されている。そして、第１被覆１２及び第２被覆１４は生分解性を持つポリ乳酸を主成分とした生分解性樹脂から成っている。
【００１２】
次に本実施例のシールド電線１０の処理方法を、図２を用いて説明する。
【００１３】
図２には処理槽２０中に投入されたシールド電線１０と生分解進行度を検知する検知回路２６を示してある。処理槽２０中には培地２１が設けられ、その培地２１中に不要となったシールド電線１０が複数本入れられる。図２に示すように、そのうちの１本のシールド電線１０の一端側を培地２１の外へ出す。その後、培地２１の外に出ているシールド電線１０の線材１１及びシールド導体１３に対して、定電圧源２２、電流計２３及び抵抗２４、ランプ２５（報知部）よりなる検知回路２６を接続する。この時、回路が短絡した場合に備えて電流計２２にはヒューズを備えておくと良い（図示しない）。
【００１４】
培地２１は通常の堆肥でも良いが、微生物の成育や活性化を促進するために、無機塩、ビタミン、アミノ酸、酵母エキス等を含む液体を堆肥に混ぜ込み、寒天等で硬化させる。処理槽２０中の温度や湿度についても高温多湿な環境が望ましい。この状態で長時間保持することで、シールド電線１０の第１被覆１２及び第２被覆１４が微生物により生分解される。なお、シールド導体１３は網目状になっているため、微生物は、第２被覆１４を侵食後、網目を通して第１被覆１２まで侵食する。
【００１５】
次に検知回路２６の動作について説明する。
【００１６】
生分解が始まってない時、一定の電圧を定電圧源２２より検知回路２６に印加してもシールド電線１０中の線材１１及びシールド導体１３の間には第１被覆１２が形成されているため、電気的に絶縁状態となっており、検知回路２６に電流は流れない。また、微生物による生分解が始まっても、第２被覆１４が分解され、また少なくとも、第１被覆１２の分解が一部領域においても完了しない限り、電流は流れることはない。
【００１７】
しかし、第１被覆１２の一部の領域にて生分解の進行が完了した場合には、図３に示すように、線材１１とシールド導体１３は電気的に接触することになり、検知回路２６は導通状態になる（線材１１とシールド導体１３とを積極的に接触させる目的でシールド電線１０の適所を絶縁性のゴムバンド等で縛っておくとよい）。よって、検知回路２６には印加した電圧と抵抗２４及びランプ２５の内部抵抗を合わせた直列抵抗の値から求まる一定の電流が回路に流れ、ランプ２５が点灯する。かくして、ランプ２５の点灯を確認することで、第１被覆１２及び第２被覆１４の生分解の進行の完了を検知することができる（微生物は第２被覆１４を分解したのち、シールド導体１３の網目を通して、第１被覆１２へと進行するため、第１被覆１２の生分解の進行が完了し、ランプ２５が点灯した時点で、第２被覆１４の生分解も完了しているはずである）。
【００１８】
なお、培地２１内の微生物が生息する環境は均一だとみなすことができる。従って、ランプ２５が点灯した時点で、検知回路２６に接続されたシールド電線１０に限らず、培地２１内に投入したすべてのシールド電線１０の第１被覆１２及び第２被覆１４の生分解はほぼ完了していると考えることができる。
【００１９】
以上のように、実施例１では、すべてのシールド電線１０を検知回路２６に接続しなくても、特定のシールド電線１０の導通状況を確認することですべてのシールド電線１０の生分解の進行を把握することができる。
【００２０】
ランプ２５が点灯したのち、培地２１内に投入したすべてシールド電線１０を取り出す。その後、材料の異なる線材１１及びシールド導体１３を簡単に分離させて分別することで、再利用が可能となる。
【００２１】
＜他の実施例＞
本発明は上記記述及び図面によって説明した実施例に限定されるものではなく、例えば次のような実施例も本発明の技術的範囲に含まれる。
（１）上記実施例では、線材である第１導体とシールド材料である第２導体を備えるシールド電線を用いたが、他にも二重以上の多重シールド電線、同軸ケーブル、ツイストペア線、多芯ケーブル等にも適用できる。    
（２）上記実施例では、導体を銅合金及びアルミニウム合金としたが、他の金属材料にも適用できる。  
（３）上記実施例では、絶縁体は生分解性樹脂を用いて作製しているが、これに制限されることなく、生分解性樹脂との混合物を用いて作製しても良い。この場合、培地内で線材と絶縁体は完全に分離されないが、絶縁体自体は非常にもろくなる為、手でもみほぐす等して容易に線材と絶縁体を分離することができる。
（４）上記実施例では、生分解性樹脂としてポリ乳酸を用いたが、他にもポリカプロラクトン、ポリヒドロキシアルカノエート、ポリグリコール酸、変性ポリビニルアルコール、カゼイン、変性澱粉等を用いることができる。
（５）上記実施例では、検知回路の報知部としてランプを用いたが、ブザーや電光表示灯を用いることができる。
【符号の説明】
【００２２】
１０…シールド電線（検知対象物）
１１…線材（第１導体）
１２…第１被覆（検知部）
１３…シールド導体（第２導体）
１４…第２被覆
２０…処理槽
２１…培地
２２…定電圧源
２３…電流計
２４…抵抗
２５…ランプ（報知部）
２６…検知回路
【図１】
2014053171.tif 000003
【図２】
2014053171.tif 000004
【図３】
2014053171.tif 000005